(57)【特許請求の範囲】
【請求項１】
２−ＦＳＫ信号の存在を検出する方法であって、２−ＦＳＫ信号を受信し、直交関係の出力を発生するために、受信した信号を直交周波数下方変換し、ディジタルサンプルを発生するために直交関係の出力をオーバーサンプリングし、実数成分と虚数成分を発生するためにディジタルサンプルを差動的に復号し、虚数成分を積分し、且つ積分された値を固定のしきい値と比較し、且つしきい値を超えた場合に、存在すべき信号を決定する方法。
【請求項２】
虚数成分は、虚数成分の絶対値を得ることにより、且つ、絶対値の移動和を形成することにより積分され、移動和は固定のしきい値と比較されることを特徴とする請求項１に記載の方法。
【請求項３】
２−ＦＳＫ信号を受信する手段と、信号受信手段に接続された入力と直交関係の信号の出力を有する直交周波数下方変換手段と、実数及び虚数成分を発生するために直交関係の信号を復号する復号手段と、虚数成分を積分する手段と、積分手段からの出力を受信するために接続された第１の入力と、しきい値発生回路に接続された第２の入力と、積分手段からの出力がしきい値発生回路により発生された値を超えたときに信号存在指示を供給する出力とを有する比較手段とを有する無線端末。
【請求項４】
絶対値決定段階が、積分手段に接続され且つ、積分手段は絶対値決定段階の出力の移動和を発生する手段を含むことを特徴とする請求項３に記載の無線端末。
【請求項５】
請求項３或は４に記載の受信器を有する遠隔測定モジュール。
【発明の詳細な説明】
【０００１】
技術分野
本発明は、２−ＦＳＫ信号の存在を検出する方法及び無線端末に関連する。無線端末は、典型的には、自動水位測定のような遠隔監視アプリケーションで使用する、遠隔測定モジュール又はその一部である。
【０００２】
背景技術
遠隔測定モジュールは、保守されずに何年も連続して使用されうる装置内に装備されている。電池駆動の遠隔測定モジュールの場合には、電池交換の間の１０年まで動作するのが好ましい。そのような長い保守寿命を達成できるために、遠隔測定モジュールは、適切な応答時間を与えながら電流を容易に節約するプロトコルに従って動作する。これらの目的を達成するプロトコルは、ＰＯＣＳＡＧと呼ばれる、ＣＣＩＲ無線ページングコードＮｏ．１が約２０年間使用されているディジタルページングのような、種々の技術分野で既知である。一般的なアプローチは、無線ユニットが、長い時間の期間の間”スリープ”するが、そのチャネルに何かデータ信号が伝送されていないかをチェックするために周期的に起動することである。起動する周期は、信号が存在するか否かとは独立に予め設定される。この種の電池の経済的なプロトコルの改良では、無線ユニットが起動されたときに、受信器全体にエネルギーを供給する前にデータの存在に関するチェックを行い、そして、予め設定された期間よりも短い時間の期間内に検出されない場合には、素早く電源を遮断する。従って、電池の寿命は伸ばされ又は、より小さいサイズの電池が同じ電子装置に使用される。
【０００３】
無線ユニットがデータを検出する信頼性がない場合には、最初に、ノイズのみが存在するときでさえも、データ存在検出器により信号が”検出される”確率として定義される誤った警報（Ｐ（ｆａｌｓｅ  ａｌａｒｍ）又は、短縮してＰ（ｆａ））の確率があり、そして、第２に、データ存在検出器が良好な信号を拒絶し且つそれをノイズであるとする確率として定義される誤った棄却（Ｐ（ｆａｌｓｅ  ｄｉｓｍｉｓｓａｌ）又は、短縮してＰ（ｆｄ））の確率がある。各々の単一の誤った棄却はパケットの完全な損失を発生するので、Ｐ（ｆｄ）はより重要なパラメータである。典型的なシステム要求は、
【０００４】
【数１】
0004660673.tif 000002
及び、
【０００５】
【数２】
0004660673.tif 000003
である。
【０００６】
典型的なデータ存在インジケータのブロックの概略図が、添付の図面の図１に示されている。図１では、アンテナ１０により受信された信号は、ｒ．ｆ．フロントエンド段階１２で周波数下方変換される。段階１２は、ゼロＩＦ又は低ＩＦで、実数出力Ｉ（ｔ）と、虚数出力Ｑ（ｔ）を供給する、直交周波数下方変換段階を含む。これらの出力は、それぞれ出力Ｉ（ｔ）２及びＱ（ｔ）２を発生する、それぞれの２乗回路１４，１６に与えられる。これらの信号は、段階１８で合計されそして、平方根段階２０で和の平方根が得られる。出力Ｐ（ｔ）
【０００７】
【数３】
0004660673.tif 000004
は、移動和段階２２に与えられる。段階２２からの移動和は、比較器２６内の段階２４により発生された固定のしきい値と比較され、その出力２８はデータ存在指示を含む。
【０００８】
図示されたインジケータ回路の主な目的は、ノイズから信号を区別することである。この既知の回路の欠点は、ノイズに対する信号の特殊性を減少させる存在するどのようなファクタも、検出機構を低速化し、電力消費の観点から不経済とする。
【０００９】
本発明の開示
本発明の目的は、エネルギー要求を最小化しながら必要とされる最小の信頼性を保証する、最も短い時間に対して、データの存在の検出を最適化することである。
【００１０】
本発明の１つの特徴に従って、２−ＦＳＫ信号の存在を検出する方法を提供され、この方法は、２−ＦＳＫ信号を受信し、直交関係の出力を発生するために、受信した信号を直交周波数下方変換し、ディジタルサンプルを発生するために直交関係の出力をオーバーサンプリングし、実数成分と虚数成分を発生するためにディジタルサンプルを差動的に復号し、虚数成分を積分し、且つ積分された値を固定のしきい値と比較し、且つしきい値を超えた場合に、存在すべき信号を決定する。
【００１１】
本発明の他の特徴に従って、２−ＦＳＫ信号を受信する手段と、信号受信手段に接続された入力と直交関係の信号の出力を有する直交周波数下方変換手段と、実数及び虚数成分を発生するために直交関係の信号を復号する復号手段と、虚数成分を積分する手段と、積分手段からの出力を受信するために接続された第１の入力と、しきい値発生回路に接続された第２の入力と、積分手段からの出力がしきい値発生回路により発生された値を超えたときに信号存在指示を供給する出力とを有する比較手段とを有する無線端末が提供される。
【００１２】
本発明は、データ存在インジケータへの純粋なノイズの付加を減少することによりノイズに対して信号を向上させることに基づいており、それにより、信頼性のレベルを減少させずに、信号の存在を決定する速度を増加させる。速度増加は、９倍まで高速化が可能である。従って、信号が存在しない場合には、端末はすぐに不活性化され、これにより、電池寿命を向上する。
【００１３】
２−ＦＳＫ変調伝送の場合には、復号信号の配列は、全体的に虚数ブランチ上にある。実数ブランチ上に登録された積分する純粋ノイズに似たデータは、有益でない。
【００１４】
本発明を、添付の図面を参照して例により説明する。
【００１５】
図において、同一の参照番号は、対応する特徴を示すのに使用される。
【００１６】
本発明を実行するモード
図２に示された受信器は、独立した受信器又は、遠隔測定モジュール内で実現されたトランシーバの受信器部分である。利便性のために、両配置は受信器として説明する。
【００１７】
受信には電池節約プロトコルに従って動作し、それにより、スリープ状態で受信器機能を維持するのに必須な受信器の部分にのみ電源が与えられている、スリープモードから、周期的に起動される。
【００１８】
アンテナ１０は、入力信号を、ミキサ３４、３５の第１の入力３２、３３に供給する信号分割器３０に接続されている。局部発振器３６は、ミキサ３４の第２の入力３８に接続され、そして、直交位相シフト器３７により、ミキサ３５の第２の入力３９に接続されている。局部発振器３６の周波数は、アンテナ１０で受信された信号をゼロＩＦ又は低ＩＦのいずれかに下方変換するために選択される。ミキサ３４からの出力は、同相位相信号Ｉ（ｔ）と呼ばれ、そして、ミキサ３５からの出力は、直交位相信号Ｑ（ｔ）と呼ばれる。
【００１９】
同相及び直交位相信号Ｉ（ｔ）とＱ（ｔ）は、それぞれ、低域通過フィルタ４０、４１でフィルタされそして、アナログ／ディジタル変換器（ＡＤＣ）４２，４３でディジタル化される。ＡＤＣ４２、４３は、信号Ｉ（ｔ）とＱ（ｔ）をオーバーサンプリングし、そして、サンプルは差動復号器４４に与えられる。例えば、データレートが１５０ビット／秒であり且つサンプリングン周波数が７６．８ｋＨｚである場合には、オーバーサンプリングレートは、５１２サンプル毎ビットである。差動復号器４４は、既知の設計であり、そして、遅延段階４８と複素共役段階５０により乗算器５２の第１の入力に結合された第１の出力と、乗算器５２の第２の入力に直接的に接続された第２の出力を有する複素信号結合器４６を有する。乗算器５２の出力は、実数出力Ｒｅと虚数出力Ｉｍを両方ともオーバーサンプリングされたレートで供給する、複素実数及び虚数段階５４へ与えられる。
【００２０】
図３を参照し、説明するデータ存在インジケータ回路（ＤＰＩ）の主目的は、ノイズから信号を区別することである。２−ＦＳＫ変調された伝送の場合に更に効率的にＤＰＩ回路を作るために、復調されたディジタル信号に関して期待される配列上で利用できる情報が使用される。図３に示すように、復号された信号の配列は、全体が虚数ブランチＩｍ上にある。従って、純粋なノイズと同様の、実数ブランチＲｅ上に登録されているデータを積分することは、２−ＦＳＫに関する限り、有益でない。実数ブランチからの貢献を無視することにより、検出処理の速度は、図１を参照して説明した既知の方法と比較して、２から８．５倍の間だけ増加される。
【００２１】
図２に戻ると、オーバーサンプルされた虚数出力Ｉｍは、ＤＰＩ回路に、特に、絶対値段階５６に供給される。段階５６からの出力は、移動和段階５８で積分される。段階５８からの出力は、比較器２６の第１の入力に与えられ、そこで、しきい値段階２４で発生された固定のしきい値電圧と比較される。移動和がしきい値電圧を超える場合には、データ存在指示は、出力２８に供給されるが、しかし、しきい値電圧を超えない場合には、比較器２６はタイムアウトする。
【００２２】
図２に示された回路は、既知の回路より高速ななだけでなく、２．５年の追加の電池寿命がデータ存在インジケータ回路から排他的に得られることが計算される。
【００２３】
随意に、回路は、周波数オフセットの感度を減少でき且つ、信号の配列を、回転から防止し、実数経路上のデータの部分を伝送することを防止することが可能である、周波数補正アルゴリズムを含む。
【００２４】
本明細書及び請求項では、構成要素の前の、単語“ａ“又は、”ａｎ”は、複数のそのような要素の存在を除外しない。さらに、単語”含む”、”有する”は、記載された以外の構成要素又は、ステップの存在を除外しない。
【００２５】
本発明の開示を読めば、他の修正は、当業者には明らかである。そのような修正は、既に、データ存在インジケータ段階及びそのための構成部品を有する受信器の設計、製造及び、使用で既知である他の特徴を含みそして、ここで既に説明した特徴の代わりに又は特徴に加えて使用され得る。
【００２６】
産業上利用可能性
通信装置及び同様なものに関するデータ信号検出。
【図面の簡単な説明】
【図１】  本明細書の前文で記載した既知のデータ存在インジケータ回路のブロックの概略を示す図である。
【図２】  本発明に従って構成されたデータ存在インジケータ回路のブロックの概略を示す図である。
【図３】  ２−ＦＳＫ復調データの配列を示す図である。
【図１】
0004660673.tif 000005
【図２】
0004660673.tif 000006
【図３】
0004660673.tif 000007